(57)【要約】【課題】  最後の収容トレイから情報記録ディスクを容易に取り出したり、収容でき、しかも、収容トレイが分離したり、最後の収容トレイが裏台紙と共に閉じるのを防止できる情報記録ディスクの収容体を提供する。【解決手段】  カバー体１と、カバー体１に被覆されるＤＶＤ用の収容トレイ群２０を備え、カバー体１を、収容トレイ群２０の最前の収容トレイ２１Ａを覆う表台紙２と、表台紙２の側部に接続され、収容トレイ群２０の背中を覆う背中台紙７と、背中台紙７の側部に接続され、収容トレイ群２０の最後の収容トレイ２１Ｃを覆う裏台紙１０とから形成する。そして、裏台紙１０を、最後の収容トレイ２１Ｃの裏面に接着される接着領域１３と、背中台紙７に隣接して最後の収容トレイ２１Ｃの裏面に対して接離可能な非接着領域１４に分割し、裏台紙１０の接着領域１３と非接着領域１４の境界に、表台紙２の開閉方向に直交する方向に指向する罫線１５を形成する。【選択図】  図５
2006290405.tif 000002
【特許請求の範囲】
【請求項１】
カバー体に、情報記録ディスク用の収容トレイ群を被覆させ、この収容トレイ群を、情報記録ディスクを収容する複数の収容トレイを重ね揃えてその背中を連結することにより形成し、各収容トレイを開閉可能とした情報記録ディスクの収容体であって、
カバー体を、収容トレイ群の最前の収容トレイを覆う表台紙と、この表台紙の側部に屈曲可能に接続され、収容トレイ群の背中を覆う背中台紙と、この背中台紙の側部に屈曲可能に接続され、収容トレイ群の最後の収容トレイを覆う裏台紙とから形成し、裏台紙を、収容トレイ群の最後の収容トレイの裏面に接着される接着領域と、背中台紙に隣接して最後の収容トレイの裏面に対して接離可能な非接着領域とに分割し、
カバー体の背中台紙、及び又は裏台紙の接着領域と非接着領域との境界に、表台紙の開閉方向に略直交する方向に指向する罫線を形成したことを特徴とする情報記録ディスクの収容体。
【請求項２】
表台紙における収容トレイ群の最前の収容トレイに対向する対向面にポケットを形成した請求項１記載の情報記録ディスクの収容体。
【請求項３】
各収容トレイを略透明の板形に形成してその表面には情報記録ディスク用の収容穴を形成し、この収容穴の周縁部には指かけ凹部を連ねて形成した請求項１又は２記載の情報記録ディスクの収容体。
【請求項４】
各収容トレイに、隣接する他の収容トレイに接触して位置ズレを規制する位置決め凸部を形成した請求項１、２、又は３記載の情報記録ディスクの収容体。
【発明の詳細な説明】
【技術分野】
【０００１】
本発明は、映画やドラマを記録したＤＶＤ等からなる情報記録ディスクの収容体に関するものである。
【背景技術】
【０００２】
近年、長期間に亘って放送された人気ドラマのＤＶＤが盛んに製造・販売されているが、このＤＶＤは、そのままの状態では販売に支障を来たすので、図８ないし図１０に示す装飾されたブック型の収容体に複数枚が収容された状態で販売されている（特許文献１、２、３参照）。
【０００３】
この種の収容体は、図８ないし図１０に示すように、開閉可能な断面Ｕ字形のカバー体１と、このカバー体１に被覆される収容トレイ群２０とを備え、この収容トレイ群２０を、表面にＤＶＤ３０を収容する複数の収容トレイ２１を整列状態に積層してその背中にテープを接着することにより形成し、各収容トレイ２１を左右に開閉可能としている。
【０００４】
カバー体１は、収容トレイ群２０の最前の収容トレイ２１Ａを覆う表台紙２と、この表台紙２の側部に一体形成され、収容トレイ群２０の背中を覆う背中台紙７と、この背中台紙７の側部に一体形成され、収容トレイ群２０の最後の収容トレイ２１Ｃを覆う裏台紙１０とを備えて形成され、裏台紙１０の裏面全面に、最後の収容トレイ２１Ｃの裏面が強固に接着されている。
【０００５】
このような構成の収容体から任意のＤＶＤ３０を取り出して映像を楽しみたい場合には、図８に示す収容体の表台紙２を開いて任意のＤＶＤ３０の収容トレイ２１まで収容トレイ２１をめくり（図９参照）、該当する収容トレイ２１の表面からＤＶＤ３０を取り外せば、ＤＶＤ３０に記録された映像を楽しむことができる。
【特許文献１】特開２００５‐５３４９１号公報
【特許文献２】特開２００５‐１７１６号公報
【特許文献３】特開２００２‐４６７８９号公報
【発明の開示】
【発明が解決しようとする課題】
【０００６】
従来における情報記録ディスクの収容体は、以上のように開閉可能なカバー体１と、このカバー体１に被覆される収容トレイ群２０とから単に形成されているので、最後の収容トレイ２１ＣからＤＶＤ３０を取り出そうとすると、最後の収容トレイ２１Ｃの直前の収容トレイ２１Ｂが６０°以上開かず、ＤＶＤ３０の取り出しや収容に支障を来たすという問題がある（図１０参照）。
【０００７】
このような問題を解消する方法としては、直前の収容トレイ２１Ｂを強くめくるという方法があるが、そうすると、収容トレイ群２０の背中のテープが剥げて収容トレイ２１が分離したり、最後の収容トレイ２１Ｃが裏台紙１０と共に閉じてしまうという大きな問題が新たに生じることとなる。
【０００８】
本発明は上記に鑑みなされたもので、最後の収容トレイから情報記録ディスクを容易に取り出したり、収容することができ、しかも、収容トレイが分離したり、最後の収容トレイが裏台紙と共に閉じてしまうのを防止することのできる情報記録ディスクの収容体を提供することを目的としている。
【課題を解決するための手段】
【０００９】
本発明においては上記課題を解決するため、カバー体に、情報記録ディスク用の収容トレイ群を被覆させ、この収容トレイ群を、情報記録ディスクを収容する複数の収容トレイを重ね揃えてその背中を連結することにより形成し、各収容トレイを開閉可能としたものであって、
カバー体を、収容トレイ群の最前の収容トレイを覆う表台紙と、この表台紙の側部に屈曲可能に接続され、収容トレイ群の背中を覆う背中台紙と、この背中台紙の側部に屈曲可能に接続され、収容トレイ群の最後の収容トレイを覆う裏台紙とから形成し、裏台紙を、収容トレイ群の最後の収容トレイの裏面に接着される接着領域と、背中台紙に隣接して最後の収容トレイの裏面に対して接離可能な非接着領域とに分割し、
カバー体の背中台紙、及び又は裏台紙の接着領域と非接着領域との境界に、表台紙の開閉方向に略直交する方向に指向する罫線を形成したことを特徴としている。
【００１０】
なお、表台紙における収容トレイ群の最前の収容トレイに対向する対向面にポケットを形成することができる。
また、各収容トレイを略透明の板形に形成してその表面には情報記録ディスク用の収容穴を形成し、この収容穴の周縁部には指かけ凹部を連ねて形成することもできる。
さらに、各収容トレイに、隣接する他の収容トレイに接触して位置ズレを規制する位置決め凸部を形成することもできる。
【００１１】
ここで、特許請求の範囲におけるカバー体は、紙製でも良いが、合成樹脂製でも良い。メディアディスクである情報記録ディスクには、少なくとも長期間、長時間の情報内容（映画、ドラマ、アニメーション、音楽等）を記録した大容量のＣＤ、ＤＶＤ、光ディスク等が含まれる。また、収容トレイは、透明、不透明、半透明、底浅の断面略皿形、略板形、長方形、正方形等のいずれでも良い。
【００１２】
裏台紙の接着領域は、最後の収容トレイの裏面に直接接着されても良いし、最後の収容トレイの裏面に他の台紙等を介し間接的に接着されても良い。また、非接着領域は、最後の収容トレイの裏面に対して直接接触しても良いし、他の台紙等を介し間接的に接触しても良い。また、罫線は、単数複数いずれでも良い。ポケットは、表台紙の対向面に一体形成されても良いし、別体として形成されても良い。さらに、指かけ凹部や位置決め凸部は、単数複数いずれでも良い。
【００１３】
本発明によれば、収容トレイ群の最後の収容トレイから情報記録ディスクを取り出すため、最後の収容トレイの前の収容トレイをめくると、カバー体と最後の収容トレイの背中部分が離れ、最後の収容トレイに直接間接に重なっていた裏台紙の非接着領域が離れる。最後の収容トレイから裏台紙の非接着領域が離れると、最後の収容トレイの前の収容トレイが１８０°以上開放可能となるので、情報記録ディスクを容易に取り出したり、収容することができる。
【発明の効果】
【００１４】
本発明によれば、収容トレイ群の最後の収容トレイから情報記録ディスクを容易に取り出したり、収容することができるという効果がある。また、収容トレイが分離したり、最後の収容トレイが裏台紙と共に閉じてしまうのを有効に抑制あるいは防止することができる。
【００１５】
また、表台紙における収容トレイ群の最前の収容トレイに対向する対向面にポケットを形成すれば、ポケットに情報記録ディスクに関連する解説書、資料、写真等を収容することができる。
また、各収容トレイを略透明の板形に形成してその表面には情報記録ディスク用の収容穴を形成し、この収容穴の周縁部には指かけ凹部を連ねて形成すれば、情報記録ディスクの周縁部に指を指かけ凹部を介して引っかけ、収容穴から情報記録ディスクを簡単に取り外すことができる。
【００１６】
さらに、各収容トレイに、隣接する他の収容トレイに接触して位置ズレを規制する位置決め凸部を形成すれば、複数の収容トレイを揃えてその背中を粘着テープ等により連結し、収容トレイ群を形成する際の便宜等を図ることが可能になる。
【発明を実施するための最良の形態】
【００１７】
以下、図面を参照して本発明の好ましい実施の形態を説明すると、本実施形態における情報記録ディスクの収容体は、図１ないし図６に示すように、断面Ｕ字形に屈曲形成された展開可能なカバー体１と、このカバー体１に被覆されるＤＶＤ用の収容トレイ群２０とを備え、この収容トレイ群２０を、映画やドラマ等のデータを記録したＤＶＤ３０を着脱自在に収容する複数の収容トレイ２１を整列状態に積層してその背中に蝶番機能を有する透明テープ２８を接着することにより形成し、各収容トレイ２１を左右に開閉（揺動）可能とするようにしている。
【００１８】
カバー体１は、図１や図２に示すように、収容トレイ群２０の最前の収容トレイ２１Ａを覆う縦長で長方形の表台紙２と、この表台紙２の一側部に屈曲可能に一体形成され、収容トレイ群２０の背中を覆う縦長で長方形の背中台紙７と、この背中台紙７の一側部に屈曲可能に一体形成され、収容トレイ群２０の最後の収容トレイ２１Ｃを覆う縦長で長方形の裏台紙１０とを備え、これら表台紙２、背中台紙７、及び裏台紙１０が一枚の台紙に切断、溝切り、折り返し等の加工を施すことにより形成される。
【００１９】
表台紙２と背中台紙７との間、背中台紙７と裏台紙１０との間には、これら表台紙２、背中台紙７、裏台紙１０を高精度に折り曲げるための罫線や溝がそれぞれ形成される。これら表台紙２、背中台紙７、及び裏台紙１０の表裏面には、図示しないが、消費者の購買意欲を刺激する各種の模様が選択的に印刷される。また、表台紙２と背中台紙７とは図３に示すように、収容トレイ群２０に対して開閉可能（接離可能）に形成される。表台紙２と裏台紙１０は、収容トレイ２１よりもやや大きく形成される。
【００２０】
表台紙２は、図１や図３に示すように、縦長で長方形の表紙３と、この表紙３の上端部から裏面側に折り返されて接着される裏紙４とを備えた強固な二層構造に形成され、表紙３よりも裏紙４が短く形成される。この表台紙２の最前の収容トレイ２１Ａに対向する表紙裏面の下端部から他側部にかけては、裏紙４の表面に重なる多角形のポケット片５が一体形成され、このポケット片５と裏紙４との間に、図示しない書類等を収容するポケット６が形成される。
【００２１】
背中台紙７は、図２や図３に示すように、縦長で長方形の表紙８と、この表紙８の上端部から裏面側に折り返されて接着される裏紙９とを備えた強固な二層構造に形成される。この背中台紙７は、収容トレイ群２０の幅よりもやや幅広に形成される。
【００２２】
裏台紙１０は、図２ないし図６に示すように、表紙１１と、この表紙１１の一側部から裏面側に折り返される裏紙１２とを備えた二層構造に形成され、表紙１１の裏面の一部に裏紙１２の一部が接着される。この裏台紙１０の表紙１１は、最後の収容トレイ２１Ｃの裏面に裏紙１２を介し接着される縦長で長方形の接着領域１３と、この接着領域１３と背中台紙７との間に介在され、裏紙１２の残部、換言すれば、最後の収容トレイ２１Ｃの裏面に対し間接的に接離可能な縦長で長方形の非接着領域１４とに分割され、これら接着領域１３と非接着領域１４との境界には、表台紙２の開閉方向に直交する方向に指向する直線の罫線１５が形成される。
【００２３】
表紙１１の接着領域１３には裏紙１２が強固に接着され、表紙１１の非接着領域１４には裏紙１２の残部が接離可能に重ねられており、罫線１５が表紙１１の非接着領域１４を高精度に折り曲げるよう機能する。また、裏紙１２の表面には、最後の収容トレイ２１Ｃの裏面が強固に接着される。
【００２４】
複数の収容トレイ２１は、それぞれ同じ大きさに形成され、背中台紙７の幅方向に重ねられて収容トレイ群２０を形成する。各収容トレイ２１は、例えば熱安定性に優れるポリスチレン等を使用して５ｍｍ程度の厚さを有する透明の板形に成形され、表面にＤＶＤ用の収容穴２２が円形に丸く凹み形成されており、この収容穴２２の周縁部には、ＤＶＤ３０の取り出しを容易にする略半円形の指かけ凹部２３が所定の間隔をおいて複数連設される。
【００２５】
収容穴２２の中心部には、収容トレイ２１の表面側に突出する円形の隆起領域２４が形成され、この隆起領域２４の中心部には、ＤＶＤ３０の中心孔３１に嵌合する断面ハット形の被嵌合突起２５が中空の円柱形に突出形成されており、この被嵌合突起２５の周壁には、被嵌合突起２５の変形を容易にする断面Ｌ字形のスリット２６が所定の間隔をおいて複数切り欠かれる。
【００２６】
収容トレイ２１の四隅部付近には、有底円筒形の位置決め凸部２７がそれぞれ形成され、各位置決め凸部２７の底部が他の収容トレイ２１の位置決め凸部２７の開口部に接触することにより、複数の収容トレイ２１の前後左右への位置ズレが規制される。
さらに、ＤＶＤ３０は、例えばポリカーボネート等を材料とした単数複数の薄い円板からなり、中心部に、押圧操作により変形可能な被嵌合突起２５に嵌合する中心孔３１が穿孔される。
【００２７】
上記において、装飾されたブック型の収容体から任意のＤＶＤ３０を取り出して映像を楽しみたい場合には、図１に示す収容体の表台紙２を開いて任意のＤＶＤ３０の収容トレイ２１まで収容トレイ２１をめくり（図３、図４参照）、指かけ凹部２３や被嵌合突起２５を利用することにより、該当する収容トレイ２１の収容穴２２からＤＶＤ３０を取り外せば、ＤＶＤ３０に記録された映像を楽しむことができる。
【００２８】
この際、最後の収容トレイ２１ＣからＤＶＤ３０を取り出すため、最後の収容トレイ２１Ｃの直前の収容トレイ２１Ｂをめくると、最後の収容トレイ２１Ｃの背中部分が傾斜しながら浮き上がって裏台紙１０の表紙１１に重なっていた裏紙１２を起こし、裏台紙１０の裏紙１２に重なっていた表紙１１の非接着領域１４が罫線１５から相対的に起きながら離れ、背中台紙７として機能することとなる。
【００２９】
このようにして裏紙１２から表紙１１の非接着領域１４が離れると、最後の収容トレイ２１Ｃの直前の収容トレイ２１Ｂが１８０°以上開放するので、ＤＶＤ３０の取り出しや収容に支障を来たすことが全くない（図５、図６参照）。したがって、直前の収容トレイ２１Ｂを強くめくることにより、収容トレイ群２０の背中の透明テープ２８が剥げて収容トレイ２１が分離したり、最後の収容トレイ２１Ｃが裏台紙１０と共に閉じてしまうのをきわめて有効に抑制防止することができる。
【００３０】
次に、図７は本発明の第２の実施形態を示すもので、この場合には、カバー体１の背中台紙７、及び裏台紙１０の接着領域１３と非接着領域１４との境界に、表台紙２の開閉方向に直交する方向に指向する直線の罫線１５をそれぞれ形成するようにしている。
背中台紙７は、表紙８と裏紙９の二層構造でも良いが、屈曲を容易にする観点から裏紙９を省略した一層構造が好ましい。その他の部分に付いては、上記実施形態と同様であるので説明を省略する。
本実施形態においても上記実施形態と同様の作用効果が期待でき、しかも、構成の多様化を図ることができるのは明らかである。
【００３１】
なお、上記実施形態では表台紙２、背中台紙７、及び裏台紙１０を二層構造に形成したが、何らこれに限定されるものではなく、表台紙２、背中台紙７、及び裏台紙１０を一層構造に形成しても良い。また、裏台紙１０を表紙１１と裏紙１２の二層構造に形成したが、何らこれに限定されるものではない。例えば、裏台紙１０の裏紙１２を省略し、表紙１１の接着領域１３に最後の収容トレイ２１Ｃの裏面を部分的に接着しても良い。また、接着領域１３と非接着領域１４との境界に位置するのであれば、表台紙２の表面側に罫線１５を形成しても良いし、表台紙２の裏面側に罫線１５を形成しても良い。
【００３２】
また、罫線１５は、雌罫でも良いし、雄罫でも良い。また、複数の収容トレイ２１の背中に、蝶番機能を有する透明テープ２８を接着するのではなく、各種の模様の施された不透明テープ等を接着することも可能である。また、透明テープ２８に伸縮性を付与して複数の収容トレイ２１の開閉をさらに容易にすることもできる。さらに、被嵌合突起２５の周壁に、Ｉ字形等の各種形状のスリット２６を所定の間隔をおいて複数切り欠くことも可能である。さらにまた、情報記録ディスクの収容体を図示しない箱形のケースに収納するようにしても良い。
【図面の簡単な説明】
【００３３】
【図１】本発明に係る情報記録ディスクの収容体の実施形態を示す表面斜視説明図である。
【図２】本発明に係る情報記録ディスクの収容体の実施形態を示す裏面斜視説明図である。
【図３】本発明に係る情報記録ディスクの収容体の実施形態における表台紙の開放状態を示す斜視説明図である。
【図４】本発明に係る情報記録ディスクの収容体の実施形態における表台紙と収容トレイの開放状態を示す斜視説明図である。
【図５】本発明に係る情報記録ディスクの収容体の実施形態における最後の収容トレイの開放状態を示す斜視説明図である。
【図６】図５の端面説明図である。
【図７】本発明に係る情報記録ディスクの収容体の第２の実施形態における表台紙と収容トレイの開放状態を示す斜視説明図である。
【図８】従来の情報記録ディスクの収容体を示す表面斜視説明図である。
【図９】従来の情報記録ディスクの収容体における表台紙と収容トレイの開放状態を示す斜視説明図である。
【図１０】従来の情報記録ディスクの収容体における最後の収容トレイの開放状態を示す斜視説明図である。
【符号の説明】
【００３４】
１          カバー体
２          表台紙
３          表紙
４          裏紙（対向面）
５          ポケット片
６          ポケット
７          背中台紙
１０        裏台紙
１１        表紙
１２        裏紙
１３        接着領域
１４        非接着領域
１５        罫線
２０        収容トレイ群
２０        収容トレイ
２１Ａ      最前の収容トレイ
２１Ｂ      直前の収容トレイ
２１Ｃ      最後の収容トレイ
２２        収容穴
２３        指かけ凹部
２７        位置決め凸部
２８        透明テープ
３０        ＤＶＤ（情報記録ディスク）
【図１】
2006290405.tif 000003
【図２】
2006290405.tif 000004
【図３】
2006290405.tif 000005
【図４】
2006290405.tif 000006
【図５】
2006290405.tif 000007
【図６】
2006290405.tif 000008
【図７】
2006290405.tif 000009
【図８】
2006290405.tif 000010
【図９】
2006290405.tif 000011
【図１０】
2006290405.tif 000012